(57)【特許請求の範囲】
【請求項１】
遊技盤に対して固定された固定ベースと、該固定ベースに固定され且つ前記遊技盤の盤面と並行に配設された一本のガイドレールと、ガイドレールによってスライド自在に支持されると共にラックギヤを備えたスライド部材と、モータによって回転駆動され且つ前記ラックギヤと噛合して回転することにより前記スライド部材を進退させるピニオンギヤと、前記スライド部材に設けた軸支部によって基端部適所を前記遊技盤面と並行な方向へ揺動自在に軸支されたアームと、前記スライド部材が前記ガイドレールに沿って進退するのに伴って該アームを前記軸支部を中心として揺動させる揺動リンク機構と、を備えた揺動機構を有した遊技機であって、
前記揺動リンク機構は、前記軸支部よりも更にアーム基端部寄りに突設したピンと、前記スライド部材に設けた円弧状の可動側長穴と、前記固定ベースに設けた円弧状の固定側長穴と、を有し、且つ前記ピンは前記各長穴内に同時に遊嵌し、
前記各長穴の形状は、前記スライド部材が前記ガイドレールに沿って進退したときに前記ピンを所定の円弧状の軌道に沿って移動させることによりアームが前記軸支部を中心として揺動するように設定されており、
前記スライド部材は、前記ガイドレールを挿通するガイドレール支持穴及び前記ラックギヤを備えたスライド基部と、前記スライド基部と一体化され前記遊技盤面と並行に延びるアーム支持部材と、を備え、
前記可動側長穴は、前記アーム支持部材に形成され、
前記固定側長穴は、前記遊技盤面と平行に延びる前記固定ベース部分に形成されており、
前記スライド基部の前記固定ベースと対向する面には、前記ガイドレールを中心として該スライド基部が回転することを阻止するためのスライドスペーサが突設されていることを特徴とする遊技機。
【発明の詳細な説明】
【技術分野】
【０００１】
本発明はパチンコ遊技機等の遊技盤面に沿って進退移動して遊技進行上特徴的な演出効果を発揮させる可動盤面部品の揺動機構の改良に関し、特に長尺アームを揺動するための機構の改良に関する。
【背景技術】
【０００２】
パチンコ遊技機においては、遊技盤の盤面に入賞口、風車、可変表示装置、可動盤面部品等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤面上の可変表示装置の液晶画面に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
【０００３】
ところで、可動役物を動作させるための駆動機構としては、ギヤ機構が一般的であり、特に固定部材によってスライド自在に支持された可動部材を直線移動させる場合にはラックギヤとピニオンギヤを用いたギヤ機構が多用されている。
しかし、ギヤ機構を用いて各可動役物を上下、左右に動作させる場合には、可動役物を任意の位置にて停止させた状態を維持することが難しい。即ち、ギヤ同士のバックラッシュ、部材間の寸法誤差等によって、可動役物が本来の停止位置から遊技領域側に偏位した状態で停止することが多々あり、遊技球の経路を妨げたり、外観を悪化させて遊技の興趣を低下させる原因となる。
このような不具合は、一端に設けた回動軸を中心として盤面と平行な方向へ回動する長尺アームの先端に可動役物を取り付けた構造の盤面部品において発生し易い。これは、長尺アームの一端に設けた回動軸と他端に設けた可動役物との間の距離が長いために長尺アームを遊技盤面側に出現した位置と退避位置に夫々停止させた際に、長尺アーム及び可動役物の自重と、ギヤ部のバックラッシュなどに起因して各位置に確実に停止させることが難しいからである。
【０００４】
このような不具合を解消するために本出願人は、図１４（ａ）（ｂ）の正面図、及び図１５の断面図に示した如き長尺アームの揺動機構を提案、実施した。
即ち、この揺動機構は、図示しない遊技盤に固定された固定ベース１００と、遊技盤面と並行、且つ水平に固定された二本のガイドレール１０１と、ガイドレール１０１によってその軸方向にスライド自在に支持されたスライド部材１０２と、スライド部材１０２の上面に沿って固定されたラックギヤ１０３と、図示しないモータによって回転駆動され且つラックギヤ１０３と噛合して回転することによりスライド部材１０２を進退させるピニオンギヤ１０４と、スライド部材１０２に固定されスライド部材１０２と共にガイドレール１０１の軸方向へ進退するアーム支持部材１１０と、アーム支持部材１１０側面に設けた軸部１１１によって上部適所を紙面前後方向へ揺動自在に軸支された長尺なアーム１１２と、スライド部材１０２がガイドレール１０１に沿って進退するのに伴ってアーム１１２を軸部１１１を中心として揺動させる揺動リンク機構１１５と、を備えている。
【０００５】
揺動リンク機構１１５は、軸部１１１よりも上方に位置するアーム１１２の後端部に突設したピン１１６と、アーム支持部材１１０に設けた円弧状の長穴１１０ａと、固定ベース１００に設けた円弧状の長穴１００ａと、を有し、ピン１１６は各長穴１１０ａと長穴１００ａ内に同時に遊嵌している。各長穴１１０ａ、１００ａの形状は、アーム支持部材１１０がガイドレール１０１に沿って進退したときにピン１１６を所定の円弧状の軌道に沿って移動させることによりアーム１１２が軸部１１１を中心として揺動するように設定されている。
揺動機構１１５は、二本のガイドレール１０１を用いてスライド部材１０２の動作を安定してガイドし、且つアーム１１２の重量を長穴１１０ａ、１００ａで受けているため、ギヤ同士のバックラッシュ、部材間の寸法誤差等によって、アーム１１２が本来の停止位置から遊技領域側に偏位した状態で停止して遊技球の経路を妨げたり、外観を悪化させて遊技の興趣を低下させることがなくなる。また、アーム支持部材１１０によって回動自在に軸支されたアーム１１２の動作を安定させることができるため、アームのがたつきを防止できる。また、二本のガイドレールと長穴によって可動部品の重量を受承しているため、耐久性を高めることができる。
しかし、二本のガイドレールを用いていることにより、揺動機構の部品点数が増大し、コストアップ、組付け手数の増大、大型化、重量増大を招くという欠点を有している。
【先行技術文献】
【特許文献】
【０００６】
【特許文献１】特開２００７−０２９２５５公報
【発明の概要】
【発明が解決しようとする課題】
【０００７】
長尺アームを揺動させる機構として、アームを揺動自在に支持したアーム支持部材を直線的に進退自在にガイドする二本のガイドレールと、アームの基端部に設けたピンをガイドするためにアーム支持部材と固定ベースに夫々設けた長穴を利用した場合、二本のガイドレールを用いていることにより揺動機構の部品点数の増大によるコストアップ、組付け手数の増大、大型化、重量増大という問題が発生している。
本発明は上記に鑑みてなされたものであり、長尺アームを揺動させる機構として、アームを揺動自在に支持したアーム支持部材を直線的に進退自在にガイドするガイドレールと、アームの基端部に設けたピンをガイドするためにアーム支持部材と固定ベースに夫々設けた長穴を利用した場合に、コストダウン、組付け手数の減少、小型化、重量軽減のために使用するガイドレールの本数を一本に減少させたとしても、アームを含めた可動部品に動作を安定させることができる可動盤面部品の揺動機構を備えた遊技機を提供することを目的としている。
【課題を解決するための手段】
【０００８】
上記目的を達成するため、本発明では、遊技盤に対して固定された固定ベースと、該固定ベースに固定され且つ前記遊技盤の盤面と並行に配設された一本のガイドレールと、ガイドレールによってスライド自在に支持されると共にラックギヤを備えたスライド部材と、モータによって回転駆動され且つ前記ラックギヤと噛合して回転することにより前記スライド部材を進退させるピニオンギヤと、前記スライド部材に設けた軸支部によって基端部適所を前記遊技盤面と並行な方向へ揺動自在に軸支されたアームと、前記スライド部材が前記ガイドレールに沿って進退するのに伴って該アームを前記軸支部を中心として揺動させる揺動リンク機構と、を備えた揺動機構であって、前記揺動リンク機構は、前記軸支部よりも更にアーム基端部寄りに突設したピンと、前記スライド部材に設けた円弧状の可動側長穴と、前記固定ベースに設けた円弧状の固定側長穴と、を有し、且つ前記ピンは前記各長穴内に同時に遊嵌し、前記各長穴の形状は、前記スライド部材が前記ガイドレールに沿って進退したときに前記ピンを所定の円弧状の軌道に沿って移動させることによりアームが前記軸支部を中心として揺動するように設定されている。
【０００９】
本発明では、前記スライド部材は、前記ガイドレールを挿通するガイドレール支持穴及び前記ラックギヤを備えたスライド基部と、前記スライド基部と一体化され前記遊技盤面と並行に延びるアーム支持部材と、を備え、前記可動側長穴は、前記アーム支持部材に形成され、前記固定側長穴は、前記遊技盤面と平行に延びる前記固定ベース部分に形成されている。
【００１０】
本発明では、前記スライド基部の前記固定ベースと対向する面には、前記ガイドレールを中心として該スライド基部が回転することを阻止するためのスライドスペーサが突設されている。
【発明の効果】
【００１１】
本発明では、長尺アームを揺動させる機構として、アームを揺動自在に支持したアーム支持部材を直線的に進退自在にガイドするガイドレールと、アームの基端部に設けたピンをガイドするためにアーム支持部材と固定ベースに夫々設けた長穴を利用した場合に、ガイドレールの本数を一本に低減することにより、コストダウン、組付け手数の減少、小型化、重量軽減を図ることができる。
【図面の簡単な説明】
【００１２】
【図１】本発明に係る電飾装置を備えたパチンコ遊技機の遊技盤部分の正面図である。
【図２】遊技盤単体の正面図である。
【図３】本発明の一実施形態に係る揺動機構を備えた可動盤面部品ユニットの斜視図である。
【図４】可動盤面部品ユニットの分解斜視図である。
【図５】可動盤面部品ユニットを構成するアームの初期状態を示す斜視図である。
【図６】アームの振り出し状態を示す斜視図である。
【図７】アームの初期状態を示す正面図である。
【図８】アームの振り出し状態を示す正面図である。
【図９】アームの初期状態を示す背面図である。
【図１０】アームの振り出し状態を示す背面図である。
【図１１】（ａ）（ｂ）及び（ｃ）はスライド基部の構成を示す正面図、右側面図、及び背面図である。
【図１２】図７のＡ−Ａ断面図である。
【図１３】図７のＢ−Ｂ断面図である。
【図１４】（ａ）及び（ｂ）は従来例の正面図である。
【図１５】従来例の断面図である。
【発明を実施するための形態】
【００１３】
以下、本発明を図面に示した実施の形態により詳細に説明する。
図１は本発明に係る可動盤面部品の揺動機構を備えたパチンコ遊技機の遊技盤部分の正面図であり、図２は遊技盤単体の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【００１４】
センター部材５の上部には、遊技の進行に関与する大ヨーヨー３０が配置され、センター部材５の右側には揺動自在に上端部を軸支されたアーム６５と、アームの先端部に支持された中ヨーヨー（可動盤面部品）３５が設けられている。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
【００１５】
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１６】
図３は本発明の一実施形態に係る揺動機構を備えた可動盤面部品ユニットの斜視図であり、図４は可動盤面部品ユニットの分解斜視図であり、図５は可動盤面部品ユニットを構成するアームの初期状態を示す斜視図であり、図６はアームの振り出し状態を示す斜視図であり、図７及び図８はアームの初期状態及び振り出し状態を夫々示す正面図であり、図９及び図１０はアームの初期状態及び振り出し状態を夫々示す背面図であり、図１１（ａ）（ｂ）及び（ｃ）はスライド基部の構成を示す正面図、右側面図、及び背面図であり、図１２は図７のＡ−Ａ断面図であり、図１３は図７のＢ−Ｂ断面図である。
【００１７】
可動盤面部品ユニットＵは、可動盤面部品としての中ヨーヨー３５と、中ヨーヨーを揺動させる揺動機構４０と、から概略構成されている。
揺動機構４０は、遊技盤１に対して固定された板金製の固定ベース４１と、固定ベース４１に固定され且つ遊技盤の盤面と並行に配設された一本の金属製のガイドレール４５と、ガイドレール４５によってその軸方向にスライド自在に支持されたスライド基部５１と、スライド基部５１の移動方向に沿って形成されたラックギヤ５２と、スライド基部５１と一体化されスライド基部と共にガイドレール４５の軸方向へ進退する金属製のアーム支持部材５５と、モータ６０によって回転駆動され且つラックギヤ５２と噛合して回転することによりスライド基部５１及びアーム支持部材５５を進退させるピニオンギヤ６１と、アーム支持部材５５に設けた軸支部５６によって基端部適所に設けた被軸支部６６を遊技盤面と平行な方向へ揺動自在に軸支されたアーム６５と、スライド基部及びアーム支持部材５５がガイドレール４５に沿って進退するのに伴ってアーム６５を軸支部５６を中心として揺動させる揺動リンク機構７０と、を備える。
【００１８】
揺動リンク機構７０は、被軸支部６６よりも更にアーム基端部寄りに突設したピン７１と、アーム支持部材５５に設けた円弧状の可動側長穴５７と、固定ベース４１に設けた円弧状の固定側長穴４４ａと、を有し、且つピン７１は各長穴５７、４４ａ内に同時に遊嵌する。
更に、各長穴５７、４２の形状は、アーム支持部材５５がガイドレール４５に沿って進退したときにピン７１を所定の円弧状の軌道に沿って移動させることによりアーム６５が軸支部５６を中心として揺動するように設定されている。
固定ベース４１は、モータ６０を支持し、且つピニオンギヤ６１を突出させる穴４２ａを有した起立片４２と、起立片４２の下部から屈曲して水平に突設した水平片４３の前後両端部から起立したガイドレール支持片４３ａと、各ガイドレール支持片に形成されてガイドレール４５を挿通固定するガイドレール支持穴４３ｂと、水平片４３の先端部から下方へ屈曲形成された垂下片４４等を有する。垂下片４４には、円弧状の固定側長穴４４ａと、水平方向へ直線的に延びるガイド長穴４４ｂが前後位置関係で配置されている。
【００１９】
スライド基部５１とアーム支持部材５５は螺子止めにより一体化され、スライド部材５０を構成している。スライド基部５１は、軸方向に貫通するガイドレール挿通穴５１ａを有し、ガイドレール挿通穴５１ａ内にガイドレール４５を挿通することによりガイドレールに沿って進退する。ラックギヤ５２は、ピニオンギヤ６１と噛合してモータからの駆動力をスライド基部５１に伝達する。スライド基部５１に設けた張出し部５１ｂには螺子穴が設けられており、この螺子穴を用いてアーム支持部材５５と固定する。アーム支持部材５５は、軸支部５６、及び可動側長穴５７を有した垂下片５５ａと、スライド基部の張出し部５１ｂと螺子止め固定される張出し部５５ｂと、を備えている。また、垂下片５５ａには固定ベースのガイド長穴４４ｂと連通するガイド穴５８が設けられている。
【００２０】
アーム６５は被軸支部（穴）６６内に軸支部５６を回転自在に挿着した状態でビス５６ａにより脱落不能に支持される。また、アーム６５の更に基端部寄りに位置する張出し片６７に形成した穴６７ａ内にピン７１として機能するビス７１ａを挿通する。ピン７１は各長穴５７、４４ａ内に遊嵌させた状態でナット７１ｂによって抜け止め措置を講じられる。
スライド部材５０を構成するアーム支持部材５５はその垂下片５５ａを、固定ベース側の垂下片４４の外側に添設した状態で、固定ベースに対して前後方向へ移動可能に組み付けられる。即ち、ビス７２を垂下片５５ａの外側面に添設される部材５９に設けた穴５９ａ内とガイド穴５８内に挿着すると共に、ビス先端をガイド長穴４４ｂに挿通し、ビス先端にはナット７２ａを締結してガイド長穴４４ｂからの抜け落ちを防止する。
このようにスライド部材５０は、ピン７１とビス７２とによって固定ベース４１に対して前後方向へ移動可能に係合している。
【００２１】
アーム６５は、被軸支部６６を軸支部５６によって回転自在に支持されている。一方、スライド部材５０の前後移動時に固定側長穴４４ａに対して可動側長穴５７が移動することにより、両長穴４４ａ、５７内に同時に嵌合しているピン７１は固定側長穴４４ａによる規制を受けながら円弧状の可動側長穴５７に沿って円弧状に移動する。このため、スライド部材５０を往復動作させることによってアーム６５は軸支部５６を中心として揺動することができる。
【００２２】
固定ベース４１に対するスライド部材５０の位置検知は、図１３に示したように固定ベース４１に設けたセンサ（フォトインタラプタ）８０によって、スライド部材５０側に設けた被検知部８１を検知することにより行う。図示しない制御手段は、センサからの検知信号に基づいてスライド部材の動作タイミングを知ることができる。
図５、図７、図９に示したようにスライド部材５０が後方に退避した状態にある時にはアーム６５は初期位置（退避位置）にある一方で、図６、図８、図１０に示したようにスライド部材が前方に移動している時にはアームは前方に振り出された状態にある。
スライド部材５０が後方に退避した状態にある時には、図５、図７、図９に示したようにピン７１が可動側長穴５７の上端縁と固定側長穴４４ａの上端縁に位置しており、この時のピン７１は軸支部５６（被軸支部６６）の直上位置よりも前方に変位した位置にあるため、アーム６５は後方側、即ち初期位置に停止している。
【００２３】
一方、スライド部材５０が前方に移動した状態にある時には、図６、図８、図１０に示したようにピン７１が可動側長穴５７の下端縁と固定側長穴４４ａの下端縁に達しており、この時のピン７１は軸支部５６（被軸支部６６）よりも後方に変位した位置にあるため、アーム６５は前方へ突出した状態で停止する。
このようにアーム６５を揺動させるための機構として、一本のガイドレール４５と、ガイドレール４５に沿って進退するスライド部材５０と、揺動リンク機構７０とを組み合わせることにより、部品点数を減少して、低コスト、小型化した構成を実現できる。
【００２４】
ところで、ガイドレール４５を一本にすると、可動部材としてのスライド部材５０、アーム６５等が動作する際に、ガイドレール４５を中心としてこれらの可動部品が上下方向（図１２中の矢印イ方向）へ回転し易くなり、がたつきが発生し易くなるという問題が発生する。可動部品のがたつきは、異音発生、耐久性の低下という不具合をもたらす。特に、スライド部材のガイドレール４５とは反対側（手前側）の部分は、アーム６５、及び揺動リンク機構７０を設けたことにより重量が増大しているため、ガイドレールを中心としてアーム６５側に回動し易い。
本発明ではこのような不具合に対処するために、図１１乃至図１３に示すようにスライド基部５１の下面に、対向する固定ベース上面（水平片４３の上面）へ向けて突出したスライドスペーサ５３を設け、スライドスペーサ５３と水平片４３上面との接触によりスライド部材５０がガイドレールを中心とした回転方向にがたつきを起こすことを防止して軸方向移動を安定させるように構成した。
特に、図１１（ｂ）、図１２、図１３に示したように、スライド基部５１の下面の幅方向に２つのスライドスペーサ５３ａ、５３ｂを離間配置すると共に、奥側のスライドスペーサ５３ａをガイドレール４５よりも奥側に配置し、且つ手前側のスライドスペーサ５３ｂをガイドレールよりも手前側に配置したので、各スライドスペーサ５３ａ、５３ｂと水平片上面との接触、摺動によって、可動部品としてのスライド基部、アーム６５等の回転運動を効果的に抑止してがたつきの発生を防止できる。
【００２５】
本発明によれば、長尺アームを揺動させる機構として、アームを揺動自在に支持したアーム支持部材を直線的に進退自在にガイドするガイドレールと、アームの基端部に設けたピンをガイドするためにアーム支持部材と固定ベースに夫々設けた長穴を利用した場合に、ガイドレールの本数を低減することにより、コストダウン、組付け手数の減少、小型化、軽量化を図ることができる。
また、スライド基部の固定ベースと対向する面に、ガイドレールを中心として該スライド基部が回転することを阻止するためのスライドスペーサを設けたため、使用するガイドレールの本数を一本に減少させたとしても、アームを含めた可動部品に動作を安定させることができる。
本発明の可動盤面部品ユニットを遊技盤に組み込むことにより構築される遊技盤ユニットは、パチンコ遊技機、その他の遊技機に適用することができる。
【符号の説明】
【００２６】
１…遊技盤、１ａ…遊技領域、２…ガラス枠、３…皿部、４…発射レバー、５…センター部材、７…開閉片、１０…アウト口、１１…可変入賞装置、１２…ゲート、１３…大入賞口、１４…普通入賞口、１５…風車、１６…普通図柄表示装置、３０…大ヨーヨー、３５…中ヨーヨー、４０…揺動機構、４１…固定ベース、４２…起立片、４２ａ…穴、４３…水平片、４３ａ…ガイドレール支持片、４３ｂ…ガイドレール支持穴、４４…垂下片、４４ａ…固定側長穴、４４ｂ…ガイド長穴、４５…ガイドレール、５０…スライド部材、５１…スライド基部、５１ａ…ガイドレール挿通穴、５２…ラックギヤ、５３…スライドスペーサ、５３ａ…スライドスペーサ、５３ｂ…スライドスペーサ、５５…アーム支持部材、５５ａ…垂下片、５６…軸支部、５６ａ…ビス、５７…可動側長穴、５８…ガイド穴、５９ａ…穴、６０…モータ、６１…ピニオンギヤ、６５…アーム、６６…被軸支部、６７ａ…穴、７０…揺動リンク機構、７１…ピン、７１ａ…ビス、７１ｂ…ナット、７２…ビス、７２ａ…ナット
【図１】
0005264868.tif 000002
【図２】
0005264868.tif 000003
【図３】
0005264868.tif 000004
【図４】
0005264868.tif 000005
【図５】
0005264868.tif 000006
【図６】
0005264868.tif 000007
【図７】
0005264868.tif 000008
【図８】
0005264868.tif 000009
【図９】
0005264868.tif 000010
【図１０】
0005264868.tif 000011
【図１１】
0005264868.tif 000012
【図１２】
0005264868.tif 000013
【図１３】
0005264868.tif 000014
【図１４】
0005264868.tif 000015
【図１５】
0005264868.tif 000016